(57)【要約】【課題】掲載者にとっても魅力のある、投票と連動した広告を配信することのできる投票連動広告システムを提供する。【解決手段】複数の広告主からの広告情報を入稿する広告入稿手段と、設問製作者から設問文および複数の選択肢を含む投票の登録を受け付ける投票登録手段と、投票モジュール設置者から投票を特定した投票モジュールの設置依頼を受け付けて投票モジュールを発行する投票モジュール発行手段と、上記投票モジュールの設置されたページの閲覧時に設問に関連する広告を含む投票モジュールのデータを配信する投票モジュール配信手段とを備える。【選択図】図１
2008123225.tif 000002
【特許請求の範囲】
【請求項１】
複数の広告主からの広告情報を入稿する広告入稿手段と、
設問製作者から設問文および複数の選択肢を含む投票の登録を受け付ける投票登録手段と、
投票モジュール設置者から投票を特定した投票モジュールの設置依頼を受け付けて投票モジュールを発行する投票モジュール発行手段と、
上記投票モジュールの設置されたページの閲覧時に設問に関連する広告を含む投票モジュールのデータを配信する投票モジュール配信手段とを備えたことを特徴とする投票連動広告システム。
【請求項２】
請求項１に記載の投票連動広告システムにおいて、
上記投票モジュール配信手段は、上記ページに埋め込まれた第１のコードからの呼び出しに応じ、上記投票モジュールを生成する第２のコードのデータを配信することを特徴とする投票連動広告システム。
【請求項３】
請求項１または２のいずれか一項に記載の投票連動広告システムにおいて、
上記投票モジュール配信手段は、現状の投票結果に応じた広告を提供することを特徴とする投票連動広告システム。
【請求項４】
請求項１または２のいずれか一項に記載の投票連動広告システムにおいて、
上記投票モジュール配信手段は、投票した選択肢に応じた広告を提供することを特徴とする投票連動広告システム。
【請求項５】
請求項１または２のいずれか一項に記載の投票連動広告システムにおいて、
上記投票モジュール配信手段は、投票者、投票モジュール設置者、設問製作者のプロファイルの共通点に応じた広告を提供することを特徴とする投票連動広告システム。
【請求項６】
請求項３乃至５のいずれか一項に記載の投票連動広告システムにおいて、
上記投票モジュール配信手段は、設問文に含まれるキーワードおよび選択肢のポジティブ／ネガティブの度合に応じて広告を選出することを特徴とする投票連動広告システム。
【請求項７】
複数の広告主からの広告情報を入稿する広告入稿工程と、
設問製作者から設問文および複数の選択肢を含む投票の登録を受け付ける投票登録工程と、
投票モジュール設置者から投票を特定した投票モジュールの設置依頼を受け付けて投票モジュールを発行する投票モジュール発行工程と、
上記投票モジュールの設置されたページの閲覧時に設問に関連する広告を含む投票モジュールのデータを配信する投票モジュール配信工程とを備えたことを特徴とする投票連動広告提供方法。
【請求項８】
設問製作者から登録された設問を特定した投票モジュールを投票モジュール設置者がページに設置し、当該投票モジュールの表示時に複数の広告主からの広告のうち関連するものを含める広告システムにおけるレベニューシェア方法であって、
広告主の負担する売り上げ全体のうち固定のＸ％をシステム運営者に配分し、
広告主の負担する売り上げ全体の［１００−Ｘ］％に設問が投票全体に占める貢献度をかけた分のうち固定のＹ％を設問製作者に配分し、
広告主の負担する売り上げ全体の［１００−Ｘ］％に設問が投票全体に占める貢献度をかけた分のうち固定のＺ％を投票者に投票数に応じて配分し、
広告主の負担する売り上げ全体の［１００−Ｘ］％に設問が投票全体に占める貢献度をかけた分のうち［１００−（Ｘ＋Ｚ）］％を投票モジュールの貢献度に応じて投票モジュール設置者に配分することを特徴とするレベニューシェア方法。
【発明の詳細な説明】
【技術分野】
【０００１】
本発明はインターネット等のネットワークを用いた広告システムに関する。
【背景技術】
【０００２】
インターネット上の広告手法として、かねてよりバナー広告が多用されている。バナー広告はインターネットのＷｅｂページ上に広告の画像を貼り、その画像をクリックすることで広告主のＷｅｂサイトにリンクするものである。広告主は広告画像の表示回数や実際にユーザが画像をクリックした回数に基づいて、バナー広告の掲載サイト（掲載者）に対して広告料を支払う。
【０００３】
また、単にバナー広告を掲載するだけでは閲覧者の興味をあまり引くものではないため、設問文への投票を行うコーナを併設したページも存在する。
【０００４】
なお、出願人は出願時点までに本発明に関連する公開された先行技術文献を発見することができなかった。よって、先行技術文献情報を開示していない。
【発明の開示】
【発明が解決しようとする課題】
【０００５】
上述した設問文への投票を行うコーナを併設したページはある程度の閲覧数増加は期待できるものの、投票をするにあたっては専用ページに画面遷移するものであったため、広告を含む投票コーナの掲載者にとってはあまり好ましいものではなく、十分な掲載協力が得られないという問題があった。すなわち、広告を含む投票コーナの掲載者は一義的には自分のページの閲覧を増やしたいと望んでいるところ、専用ページに画面遷移してしまってはその目的が達せられないからである。
【０００６】
一方、設問文への投票とともに掲載される広告については、得に投票の設問内容や投票内容と関連付けられておらず、広告の効果についても十分ではないという問題があった。
【０００７】
本発明は上記の従来の問題点に鑑み提案されたものであり、その目的とするところは、掲載者にとっても魅力のある、投票と連動した広告を配信することのできる投票連動広告システムを提供することにある。
【課題を解決するための手段】
【０００８】
上記の課題を解決するため、本発明にあっては、請求項１に記載されるように、複数の広告主からの広告情報を入稿する広告入稿手段と、設問製作者から設問文および複数の選択肢を含む投票の登録を受け付ける投票登録手段と、投票モジュール設置者から投票を特定した投票モジュールの設置依頼を受け付けて投票モジュールを発行する投票モジュール発行手段と、上記投票モジュールの設置されたページの閲覧時に設問に関連する広告を含む投票モジュールのデータを配信する投票モジュール配信手段とを備える投票連動広告システムを要旨としている。
【０００９】
また、請求項２に記載されるように、請求項１に記載の投票連動広告システムにおいて、上記投票モジュール配信手段は、上記ページに埋め込まれた第１のコードからの呼び出しに応じ、上記投票モジュールを生成する第２のコードのデータを配信するようにすることができる。
【００１０】
また、請求項３に記載されるように、請求項１または２のいずれか一項に記載の投票連動広告システムにおいて、上記投票モジュール配信手段は、現状の投票結果に応じた広告を提供するようにすることができる。
【００１１】
また、請求項４に記載されるように、請求項１または２のいずれか一項に記載の投票連動広告システムにおいて、上記投票モジュール配信手段は、投票した選択肢に応じた広告を提供するようにすることができる。
【００１２】
また、請求項５に記載されるように、請求項１または２のいずれか一項に記載の投票連動広告システムにおいて、上記投票モジュール配信手段は、投票者、投票モジュール設置者、設問製作者のプロファイルの共通点に応じた広告を提供するようにすることができる。
【００１３】
また、請求項６に記載されるように、請求項３乃至５のいずれか一項に記載の投票連動広告システムにおいて、上記投票モジュール配信手段は、設問文に含まれるキーワードおよび選択肢のポジティブ／ネガティブの度合に応じて広告を選出するようにすることができる。
【００１４】
また、請求項７に記載されるように、複数の広告主からの広告情報を入稿する広告入稿工程と、設問製作者から設問文および複数の選択肢を含む投票の登録を受け付ける投票登録工程と、投票モジュール設置者から投票を特定した投票モジュールの設置依頼を受け付けて投票モジュールを発行する投票モジュール発行工程と、上記投票モジュールの設置されたページの閲覧時に設問に関連する広告を含む投票モジュールのデータを配信する投票モジュール配信工程とを備える投票連動広告提供方法として構成することができる。
【００１５】
また、請求項８に記載されるように、設問製作者から登録された設問を特定した投票モジュールを投票モジュール設置者がページに設置し、当該投票モジュールの表示時に複数の広告主からの広告のうち関連するものを含める広告システムにおけるレベニューシェア方法であって、広告主の負担する売り上げ全体のうち固定のＸ％をシステム運営者に配分し、広告主の負担する売り上げ全体の［１００−Ｘ］％に設問が投票全体に占める貢献度をかけた分のうち固定のＹ％を設問製作者に配分し、広告主の負担する売り上げ全体の［１００−Ｘ］％に設問が投票全体に占める貢献度をかけた分のうち固定のＺ％を投票者に投票数に応じて配分し、広告主の負担する売り上げ全体の［１００−Ｘ］％に設問が投票全体に占める貢献度をかけた分のうち［１００−（Ｘ＋Ｚ）］％を投票モジュールの貢献度に応じて投票モジュール設置者に配分するレベニューシェア方法として構成することができる。
【発明の効果】
【００１６】
本発明の投票連動広告システムにあっては、投票モジュールを設置したページから他に画面遷移することなく投票が行え、掲載者にとっても魅力のある、投票と連動した広告を配信することができる。
【発明を実施するための最良の形態】
【００１７】
以下、本発明の好適な実施形態につき説明する。
【００１８】
<システム構成>
図１は本発明の一実施形態にかかる投票連動広告システムの構成例を示す図である。
【００１９】
図１において、投票連動広告システムの人的要素としては、広告を出稿する広告主１１と、システムの管理・運営を行うシステム運営者１２と、投票の対象となる設問を製作する設問製作者１３と、投票を行う機能を有する投票モジュール（ブログ等に追加するブログパーツ等のモジュールであって、投票機能を有するもの。）を自己のＷｅｂサーバに設置する投票モジュール設置者１４と、Ｗｅｂサーバを閲覧して投票を行う投票者１５とが存在する。なお、設問製作者１３、投票モジュール設置者１４、投票者１５はシステム側でＩＤ認証可能なアカウント保有者（会員）を想定している。
【００２０】
投票連動広告システムの処理に必要なデータベースとしては、広告主１１の広告情報を保持する広告データベース２１と、会員のアカウント情報を保持するアカウントデータベース２２と、投票の設問情報を保持する投票データベース２３と、投票モジュールの設置情報を保持する投票モジュール設置データベース２４とが存在する。
【００２１】
投票連動広告システムの処理機能を提供するサーバとしては、システム運営者１２により操作され広告データベース２１へ広告入稿を行う広告入稿サーバ３１と、広告データベース２１から所定の広告情報を取得して配信する広告管理サーバ３２と、アカウントデータベース２２に基づき投票連動広告システムへのユーザのログインを管理するログインＷｅｂサーバ３３と、投票データベース２３への投票の登録（追加、修正、削除等）を管理する投票登録Ｗｅｂサーバ３４と、投票モジュール設置者１４に対する投票モジュールの発行を管理する投票モジュール発行Ｗｅｂサーバ３５と、投票モジュールのデータを配信する投票モジュール配信Ｗｅｂサーバ３６とが存在する。また、投票モジュールを設置するシステム外の任意のサーバとして、ブログ等の一般Ｗｅｂサーバ３７が存在する。
【００２２】
また、設問製作者１３、投票モジュール設置者１４、投票者１５が操作するＰＣ（Personal Computer）、携帯電話等のＷｅｂブラウザ端末４１、４２、４３が存在する。
【００２３】
ページ５１は投票者１５がＷｅｂブラウザ端末４３から一般Ｗｅｂサーバ３７にアクセスした際の画面例を示しており、ページ５１の大枠のデータは一般Ｗｅｂサーバ３７から提供され、その中の投票モジュール５２のデータは投票モジュール配信Ｗｅｂサーバ３６から提供される。投票モジュール５２には、設問に対して投票を行う投票部５３と、広告の掲載される広告部５４とが含まれている。
【００２４】
図２は各データベースに含まれるフィールドの例を示す図である。
【００２５】
図２において、広告データベース２１は広告テーブルと掲載条件テーブルと掲載条件リンクテーブルとを含み、広告テーブルは広告ＩＤと広告主情報と広告種別と画像情報とリンク先情報と掲載期間と出稿ＰＶ数とを含み、掲載条件テーブルは掲載条件ＩＤと条件種別とキーワードとネガポジパラメータとを含み、掲載条件リンクテーブルは広告ＩＤと掲載条件ＩＤとを含んでいる。
【００２６】
アカウントデータベース２２はアカウントテーブルと投票履歴テーブルとを含み、アカウントテーブルはアカウントＩＤとアカウント名とパスワードとニックネームと氏名と生年月日とメールアドレスとその他個人情報とを含み、投票履歴テーブルは投票履歴ＩＤとアカウントＩＤと投票ＩＤと選択肢ＩＤと投票モジュールＩＤと投票日時とを含んでいる。
【００２７】
投票データベース２３は投票テーブルと選択肢テーブルとを含み、投票テーブルは投票ＩＤとタイトルと設問文とを含み、選択肢テーブルは選択肢ＩＤと投票ＩＤと選択肢内容とネガポジパラメータと投票数とを含んでいる。
【００２８】
投票モジュール設置データベース２４は投票モジュールテーブルを含み、投票モジュールテーブルは投票モジュールＩＤと投票ＩＤとアカウントＩＤとＰＶ数と投票数と広告表示回数と広告クリック回数とを含んでいる。
【００２９】
図３はデータベースの各テーブル間のリンク構造の例を示す図であり、広告テーブルと掲載条件リンクテーブルは広告ＩＤでリンクされ、掲載条件リンクテーブルと掲載条件テーブルは掲載条件ＩＤでリンクされている。また、アカウントテーブルと投票履歴テーブルと投票モジュールテーブルはアカウントＩＤでリンクされ、投票テーブルと投票履歴テーブルと選択肢テーブルと投票モジュールテーブルは投票ＩＤでリンクされ、投票履歴テーブルと選択肢テーブルは選択肢ＩＤでリンクされ、投票履歴テーブルと投票モジュールテーブルは投票モジュールＩＤでリンクされている。
【００３０】
<動作概要>
図４は上記の実施形態の処理の概要を示す図であり、広告主１１がシステム運営者１２に広告を出稿すると（ステップＳ１）、システム運営者１２はシステムへの広告入稿を行う（ステップＳ２）。
【００３１】
一方、設問製作者１３はシステム運営者１２の提供するシステムに対して投票設問の作成および登録を行う（ステップＳ３）。設問製作者１３は後述するように利用度の高い設問を作成・登録した場合に大きな対価を得ることができるため、多数の登録が期待できる。
【００３２】
投票モジュール設置者１４はシステム運営者１２の提供するシステムから投票設問を選択し（ステップＳ４）、自己の管理するブログ等のページ５１に投票モジュール５２を設置する（ステップＳ５）。この投票モジュール５２の設置は、ページ５１内に表示時に投票モジュール５２の配信を要求するＪａｖａＳｃｒｉｐｔ等の短いコード（モジュール設置用タグ）を埋め込むことによって行われる。
【００３３】
その後、投票者１５がページ５１にアクセスすると（ステップＳ６）、ページ５１内の埋め込みコードが起動することで、システム運営者１２の提供するシステムから広告を含む投票モジュール５２の配信を受ける（ステップＳ７）。システムから配信されるデータは投票モジュール５２を生成するＪａｖａＳｃｒｉｐｔ等のコードであり、このコードの実行によりページ５１内に投票モジュール５２が表示される。
【００３４】
そして、投票者１５がページ５１内の投票モジュール５２に対して投票を行うと（ステップＳ８）、投票内容が投票モジュール５２からシステム運営者１２の提供するシステムに伝えられ（ステップＳ９）、投票結果に応じた投票モジュール５２が再配信される（ステップＳ１０）。
【００３５】
また、投票者１５は投票モジュール５２の広告部５４をクリックすることで広告主１１のページにリンクすることができる（ステップＳ１１）。
【００３６】
<ログイン処理>
図５はユーザによるシステムへのログインの処理例を示すシーケンス図である。
【００３７】
図５において、設問製作者１３、投票モジュール設置者１４、投票者１５が自己の操作するＷｅｂブラウザ端末４１、４２、４３においてログインを開始し（ステップＳ１０１）、ログインＷｅｂサーバ３３のログインページにアクセスを行うと（ステップＳ１０２）、ログインＷｅｂサーバ３３はＷｅｂブラウザ端末４１、４２、４３にログインフォームを配信する（ステップＳ１０３）。
【００３８】
Ｗｅｂブラウザ端末４１、４２、４３においてＩＤ、パスワードを入力してログインＷｅｂサーバ３３に送信すると（ステップＳ１０４）、ログインＷｅｂサーバ３３はアカウントデータベース２２から該当する認証情報を取得し（ステップＳ１０５）、ＩＤ、パスワードが間違っていた場合はＷｅｂブラウザ端末４１、４２、４３にエラー通知を行う（ステップＳ１０６、Ｓ１０７）。
【００３９】
ＩＤ、パスワードが正当である場合は、セッションクッキーを発行するとともに、アクセス元ページへのリダイレクトを送信し（ステップＳ１０８）、ログインを完了する（ステップＳ１０９）。
【００４０】
<設問作成処理>
図６は設問作成の処理例を示すシーケンス図である。
【００４１】
図６において、設問製作者１３が自己の操作するＷｅｂブラウザ端末４１において設問作成を開始し（ステップＳ２０１）、図５に示したログインフローによりログインし（ステップＳ２０２）、投票登録Ｗｅｂサーバ３４の設問設定ページにアクセスを行うと（ステップＳ２０３）、投票登録Ｗｅｂサーバ３４はＷｅｂブラウザ端末４１に設問設定ページを配信する（ステップＳ２０４）。
【００４２】
Ｗｅｂブラウザ端末４１からタイトル、設問内容、選択肢等の設問追加情報を投票登録Ｗｅｂサーバ３４に送信すると（ステップＳ２０５）、投票登録Ｗｅｂサーバ３４は投票データベース２３に設問情報を保存する（ステップＳ２０６）。
【００４３】
そして、投票登録Ｗｅｂサーバ３４はＷｅｂブラウザ端末４１に設問登録完了ページを配信し（ステップＳ２０７）、設問作成を完了する（ステップＳ２０８）。
【００４４】
<投票モジュール設置処理>
図７は投票モジュール設置の処理例を示すシーケンス図である。
【００４５】
図７において、投票モジュール設置者１４が自己の操作するＷｅｂブラウザ端末４２においてモジュール設置を開始し（ステップＳ３０１）、図５に示したログインフローによりログインし（ステップＳ３０２）、投票モジュール発行Ｗｅｂサーバ３５の投票モジュール選択ページにアクセスを行うと（ステップＳ３０３）、投票モジュール発行Ｗｅｂサーバ３５は投票データベース２３から設問リストを取得し（ステップＳ３０４）、設問リストを含んだ投票モジュール選択ページをＷｅｂブラウザ端末４２に配信する（ステップＳ３０５）。
【００４６】
Ｗｅｂブラウザ端末４２から投票ＩＤ、モジュール設置者ＩＤ等のモジュール選択情報を投票モジュール発行Ｗｅｂサーバ３５に送信すると（ステップＳ３０６）、投票モジュール発行Ｗｅｂサーバ３５は投票モジュール設置データベース２４に投票ＩＤ、モジュール設置者ＩＤを保存する（ステップＳ３０７）。
【００４７】
投票モジュール設置データベース２４は保存の際にモジュールＩＤを発行し（ステップＳ３０８）、投票モジュール発行Ｗｅｂサーバ３５はこれを取得する（ステップＳ３０９）。
【００４８】
投票モジュール発行Ｗｅｂサーバ３５はモジュールＩＤからモジュール設置用タグを生成し（ステップＳ３１０）、モジュール設置用タグ通知ページをＷｅｂブラウザ端末４２に配信する（ステップＳ３１１）。
【００４９】
Ｗｅｂブラウザ端末４２では自己の管理する一般Ｗｅｂサーバ３７のページにモジュール設置用タグを記述し（ステップＳ３１２）、モジュール設置を完了する（ステップＳ３１３）。
【００５０】
<投票モジュール表示処理>
図８は投票モジュール表示の処理例を示すシーケンス図である。
【００５１】
図８において、投票者１５が自己の操作するＷｅｂブラウザ端末４３において投票表示を開始し（ステップＳ４０１）、一般Ｗｅｂサーバ３７の投票モジュールが設置されたページにアクセスすると（ステップＳ４０２）、一般Ｗｅｂサーバ３７はＷｅｂブラウザ端末４３に該当ページを配信する（ステップＳ４０３）。
【００５２】
Ｗｅｂブラウザ端末４３ではページの表示に際してモジュール設置用タグが起動し、モジュールＩＤを伴ったリクエストを投票モジュール配信Ｗｅｂサーバ３６に送信する（ステップＳ４０４）。
【００５３】
投票モジュール配信Ｗｅｂサーバ３６は投票モジュール設置データベース２４からモジュール情報を取得するとともに、モジュール表示回数を＋１して保存する（ステップＳ４０５）。また、投票モジュール配信Ｗｅｂサーバ３６は投票データベース２３から投票情報を取得する（ステップＳ４０６）。
【００５４】
そして、投票モジュール配信Ｗｅｂサーバ３６は広告管理サーバ３２に対して設問情報、ネガポジパラメータ、アカウント情報等を伴った広告引き当てリクエストを送信する（ステップＳ４０７）。
【００５５】
広告管理サーバ３２は広告データベース２１から広告情報を取得し（ステップＳ４０８）、投票にマッチングする広告を選択し（ステップＳ４０９）、広告部分のＨＴＭＬ（Hyper Text Markup Language）を生成し（ステップＳ４１０）、投票モジュール配信Ｗｅｂサーバ３６に配信する（ステップＳ４１１）。
【００５６】
投票モジュール配信Ｗｅｂサーバ３６は広告部分を含んだ投票モジュール（ＪａｖａＳｃｒｉｐｔのコード）を生成し（ステップＳ４１２）、Ｗｅｂブラウザ端末４３に配信し（ステップＳ４１３）、ＪａｖａＳｃｒｉｐｔのコードが実行することで投票表示を完了する（ステップＳ４１４）。
【００５７】
図９は投票モジュール５２の表示例を示す図であり、設問作成者紹介部５５、投票部５３、広告部５４等が表示されている。投票部５３は「ダイエットは好きですか？」といった設問文５３ａ、「はい」「いいえ」「どちらでもない」といった選択肢５３ｂ、現時点の投票結果を示す円グラフ５３ｃ、適切な選択肢がない場合に新たな選択肢（番外値）を作成する選択肢追加指示部５３ｄ、投票を実行する投票ボタン５３ｅを含んでいる。
【００５８】
<投票処理>
図１０は投票の処理例を示すシーケンス図である。
【００５９】
図１０において、投票者１５が自己の操作するＷｅｂブラウザ端末４３において図８に示した投票表示を行い（ステップＳ５０１）、投票を開始すると（ステップＳ５０２）、図５に示したログインフローによりログインを行い（ステップＳ５０３）、Ｗｅｂブラウザ端末４３は投票モジュール配信Ｗｅｂサーバ３６にモジュールＩＤ、選択肢等の投票選択情報を送信する（ステップＳ５０４）。
【００６０】
投票モジュール配信Ｗｅｂサーバ３６は投票モジュール設置データベース２４にモジュールからの投票回数を＋１して保存し（ステップＳ５０５）、投票データベース２３に選択肢の投票回数を＋１して保存して設問、選択肢、投票数等の投票情報を取得する（ステップＳ５０６）。
【００６１】
そして、投票モジュール配信Ｗｅｂサーバ３６は広告管理サーバ３２に対して選択肢情報、設問情報、ネガポジパラメータ、アカウント情報等を伴った広告引き当てリクエストを送信する（ステップＳ５０７）。
【００６２】
広告管理サーバ３２は広告データベース２１から広告情報を取得し（ステップＳ５０８）、投票にマッチングする広告を選択し（ステップＳ５０９）、広告部分のＨＴＭＬを生成し（ステップＳ５１０）、投票モジュール配信Ｗｅｂサーバ３６に配信する（ステップＳ５１１）。
【００６３】
投票モジュール配信Ｗｅｂサーバ３６は広告部分を含んだ投票モジュールを生成し（ステップＳ５１２）、Ｗｅｂブラウザ端末４３に配信し（ステップＳ５１３）、投票を完了する（ステップＳ５１４）。
【００６４】
図１１は投票モジュールの表示例を示す図であり、（ａ）の状態で選択肢５３ｂから「いいえ」を選択して投票ボタン５３ｅをクリックすることにより、（ｂ）に示すように、現時点の投票結果を示す円グラフ５３ｆが大きく表示され、設問文５３ｇが若干小さく表示され、投票者の投票内容を示す投票内容５３ｈが表示され、投票者の投票の状況を示す投票状況５３ｉが表示された状態を示している。また、広告部５４は、投票前は（ａ）に示すように多数回答に応じたものから、（ｂ）に示すように投票者の投票内容に応じたものに変わっている。
【００６５】
ここで、（ａ）に示す投票前の状態から（ｂ）に示す投票後の状態に投票モジュールの表示内容が変わるだけで、投票のための専用のページに移行することはない。投票モジュールを設置しているブログ等のページとしては、モジュールを置くことによるアクセスの増加を期待しており、投票するために投票のページへ遷移してしまうのは好ましくないが、投票モジュールのみを再配信することでページ遷移を行うことなくモジュール内で投票処理を完結させることができる。
【００６６】
図１２は投票の他の処理例を示すシーケンス図であり、新規に選択肢を追加登録する場合の処理である。
【００６７】
図１２において、投票者１５が自己の操作するＷｅｂブラウザ端末４３において図８に示した投票表示を行い（ステップＳ５２１）、投票を開始すると（ステップＳ５２２）、図５に示したログインフローによりログインを行い（ステップＳ５２３）、Ｗｅｂブラウザ端末４３は投票モジュール配信Ｗｅｂサーバ３６にモジュールＩＤ、新規追加の選択肢内容等の投票選択情報を送信する（ステップＳ５２４）。
【００６８】
投票モジュール配信Ｗｅｂサーバ３６は投票モジュール設置データベース２４にモジュールからの投票回数を＋１して保存し（ステップＳ５２５）、投票データベース２３に新規の選択肢を追加登録するとともに、選択肢の投票回数を＋１して保存し、設問、選択肢、投票数等の投票情報を取得する（ステップＳ５２６）。
【００６９】
そして、投票モジュール配信Ｗｅｂサーバ３６は広告管理サーバ３２に対して選択肢情報、設問情報、ネガポジパラメータ、アカウント情報等を伴った広告引き当てリクエストを送信する（ステップＳ５２７）。
【００７０】
広告管理サーバ３２は広告データベース２１から広告情報を取得し（ステップＳ５２８）、投票にマッチングする広告を選択し（ステップＳ５２９）、広告部分のＨＴＭＬを生成し（ステップＳ５３０）、投票モジュール配信Ｗｅｂサーバ３６に配信する（ステップＳ５３１）。
【００７１】
投票モジュール配信Ｗｅｂサーバ３６は広告部分を含んだ投票モジュールを生成し（ステップＳ５３２）、Ｗｅｂブラウザ端末４３に配信し（ステップＳ５３３）、投票を完了する（ステップＳ５３４）。
【００７２】
<マッチング処理>
図１３、図１５、図１７はマッチングによる広告提供の処理例を示すシーケンス図であり、図８、図１０、図１２における広告引き当てリクエストから広告部分のＨＴＭＬ配信までの詳細を示したものである。図１３は現状の投票結果に応じた広告を提供する処理であり、主に図８の初回の投票モジュールの表示に適している。図１５は投票した選択肢に応じた広告を提供する処理であり、主に図１０、図１２の投票後の投票モジュールの表示に適している。図１７は投票者、投票モジュール設置者、設問製作者のプロファイルの共通点に応じた広告を提供する処理であり、現状の投票結果や投票内容に応じて広告を選択できない場合に適している。
【００７３】
図１３において、投票モジュール配信Ｗｅｂサーバ３６で広告部分のＨＴＭＬの生成を開始すると（ステップＳ６０１）、投票モジュール配信Ｗｅｂサーバ３６は広告管理サーバ３２に設問情報と現状の投票結果のネガポジパラメータをパラメータとして広告引き当てリクエストを送信する（ステップＳ６０２）。図１４はネガポジパラメータの例を示す図であり、（ａ）に示すように設問「ダイエットは好きですか？」の選択肢「はい」「いいえ」「どちらでもない」のそれぞれに対してポジティブ／ネガティブの度合を示す値が予め設定されており、現状の投票結果が（ｂ）に示すように「はい」が多数を占めている場合、ネガポジパラメータとして（ｃ）に示すようにポジティブを示す値が設定される。
【００７４】
図１３に戻り、広告管理サーバ３２は投票の設問文から形態素解析によりキーワードを抽出し（ステップＳ６０３）、広告データベース２１から広告情報を取得する（ステップＳ６０４）。
【００７５】
そして、出稿されている広告の掲載条件からキーワードとネガポジパラメータが合致する広告を選出し（ステップＳ６０５）、選出された広告情報から広告部分のＨＴＭＬを生成し（ステップＳ６０６）、投票モジュール配信Ｗｅｂサーバ３６に配信し（ステップＳ６０７）、広告部分のＨＴＭＬの生成を完了する（ステップＳ６０８）。
【００７６】
図１５において、投票モジュール配信Ｗｅｂサーバ３６で広告部分のＨＴＭＬの生成を開始すると（ステップＳ６１１）、投票モジュール配信Ｗｅｂサーバ３６は広告管理サーバ３２に設問情報と投票した選択肢のネガポジパラメータをパラメータとして広告引き当てリクエストを送信する（ステップＳ６１２）。図１６はネガポジパラメータの例を示す図であり、（ａ）に示すように設問「ダイエットは好きですか？」の選択肢「はい」「いいえ」「どちらでもない」のそれぞれに対してポジティブ／ネガティブの度合を示す値が予め設定されており、投票した選択肢が「はい」である場合は（ｂ）に示すようにネガポジパラメータとしてポジティブを示す値が設定され、「いいえ」である場合は（ｃ）に示すようにネガポジパラメータとしてネガティブを示す値が設定され、「どちらでもない」である場合は（ｄ）に示すようにネガポジパラメータとしていずれでもないことを示す値が設定される。
【００７７】
図１５に戻り、広告管理サーバ３２は投票の設問文から形態素解析によりキーワードを抽出し（ステップＳ６１３）、広告データベース２１から広告情報を取得する（ステップＳ６１４）。
【００７８】
そして、出稿されている広告の掲載条件からキーワードとネガポジパラメータが合致する広告を選出し（ステップＳ６１５）、選出された広告情報から広告部分のＨＴＭＬを生成し（ステップＳ６１６）、投票モジュール配信Ｗｅｂサーバ３６に配信し（ステップＳ６１７）、広告部分のＨＴＭＬの生成を完了する（ステップＳ６１８）。
【００７９】
図１７において、投票モジュール配信Ｗｅｂサーバ３６で広告部分のＨＴＭＬの生成を開始すると（ステップＳ６２１）、投票モジュール配信Ｗｅｂサーバ３６は広告管理サーバ３２に設問製作者、投票モジュール設置者、投票者のアカウントをパラメータとして広告引き当てリクエストを送信する（ステップＳ６２２）。
【００８０】
広告管理サーバ３２はアカウントデータベース２２から設問製作者、投票モジュール設置者、投票者の投票履歴情報を取得し（ステップＳ６２３）、投票履歴情報から共通する投票履歴（設問と選択肢）を抽出する（ステップＳ６２４）。図１８は投票者、モジュール設置者および設問者のプロファイルの共通点による広告提供の概念図であり、設問製作者、投票モジュール設置者についても一般ユーザであることから投票者として投票を行っていることが期待され、投票内容には断片的ではあるが投票者の趣味趣向、思想などのプロファイル情報が含まれていることから、その情報を蓄積していくことによって利用者のプロファイル情報を確立していくことができる。そして、投票者に対する広告として効果の期待できるものを選択するという観点から、
１．投票者、投票モジュール設置者、設問製作者の３者に共通するプロファイル
２．投票者、投票モジュール設置者の２者に共通するプロファイル
３．投票者、設問製作者の２者に共通するプロファイル
４．モジュール設置者、設問者の２者に共通するプロファイル
の優先順位でプロファイル（投票履歴）の共通部分にマッチする広告を表示することが望ましい。なお、プロファイルは広告を選択する以外に次のような用途が考えられる。
（ａ）どれだけ少数派の選択肢へ投票しているかからアブノーマル度を算出する。
（ｂ）似たプロファイルの人が設問した投票や、投票した投票を紹介する。
（ｃ）似たプロファイルの人をクラスタリングし、その人たち向けの広告を配信する。
（ｄ）設問設定ページにその設問者のプロファイルにマッチした広告を配信する。
【００８１】
図１７に戻り、広告管理サーバ３２は投票データベース２３から共通する投票の投票情報を取得し（ステップＳ６２５）、投票の設問文から形態素解析によりキーワードを抽出し（ステップＳ６２６）、投票履歴と投票情報から選択肢のネガポジパラメータを求める（ステップＳ６２７）。
【００８２】
そして、広告管理サーバ３２は広告データベース２１から広告情報を取得し（ステップＳ６２８）、出稿されている広告の掲載条件からキーワードとネガポジパラメータが合致する広告を選出し（ステップＳ６２９）、選出された広告情報から広告部分のＨＴＭＬを生成し（ステップＳ６３０）、投票モジュール配信Ｗｅｂサーバ３６に配信し（ステップＳ６３１）、広告部分のＨＴＭＬの生成を完了する（ステップＳ６３２）。
【００８３】
<広告クリックカウント>
図１９は広告クリックカウントの処理例を示すシーケンス図である。
【００８４】
図１９において、投票者１５が自己の操作するＷｅｂブラウザ端末４３において図８に示した投票表示を行い（ステップＳ７０１）、広告のクリックを開始すると（ステップＳ７０２）、Ｗｅｂブラウザ端末４３は投票モジュール配信Ｗｅｂサーバ３６にモジュール内の広告がクリックされた旨を伝える（ステップＳ７０３）。
【００８５】
投票モジュール配信Ｗｅｂサーバ３６は投票モジュール設置データベース２４にモジュールからの広告クリック回数を＋１して保存し（ステップＳ７０４）、Ｗｅｂブラウザ端末４３に広告ページへのリダイレクトを送信し（ステップＳ７０５）、広告クリックが完了する（ステップＳ７０６）。
【００８６】
<レベニューシェア>
本発明の実施形態では、広告料を負担する広告主に対して、システム運営者、設問製作者、投票モジュール設置者、投票者が関与するため、それぞれに合理的な利益の配分を行うようにしている。特に、設問のバースト（設問内容が話題となって多数の投票が行われるようになった状態）に貢献した投票モジュール設置者に利益が還元できる仕組としている。
【００８７】
図２０はレベニューシェアの手法例を示す図であり、複数の広告主１１の負担する売り上げ全体のうち、固定のＸ％をシステム運営者１２に配分し、残りの［１００−Ｘ］％に設問が投票全体に占める貢献度をかけた分のうち固定のＹ％を設問製作者１３に配分し、固定のＺ％を投票者１５に投票数に応じて配分し、残りの［１００−（Ｘ＋Ｚ）］％を投票モジュールの貢献度に応じて投票モジュール設置者１４に配分する。なお、「貢献度」は、ページビュー、投票数、広告のクリックレート等から算出する。設問の貢献度ポイントは、同じ設問のモジュールの貢献度ポイントの合計となる。設問が投票全体に占める貢献度は、設問の貢献度ポイントを全モジュールの貢献度ポイントで割った値となる。モジュールの貢献度は、モジュールの貢献度ポイントを同じ設問の貢献度ポイントで割った値となる。
【００８８】
各モジュールの貢献度ポイントを求める式の例としては、
貢献度ポイント＝モジュールのＰＶ×全体平均投票率
＋モジュールからの投票数
＋広告掲載回数×全体平均クリックレート
＋モジュールでのクリック数
となる。ＰＶは、投票モジュール設置データベース２４の広告モジュールテーブルのＰＶ数を集計して求める。投票数は、投票データベース２３の選択肢テーブルの投票数を集計して求める。クリックレートは、投票モジュール設置データベース２４の広告モジュールテーブルの広告クリック回数÷広告表示回数を計算して求める。図２１はレベニューシェアの計算例を示す図である。
【００８９】
このように利益配分することで、バースト前は、同じモジュールを設置している人が少ないため、モジュールの貢献度は高いが、設問が投票全体に占める貢献度が低いため、報酬は少ない。バーストした瞬間は、まだ同じモジュールを設置している人が少ないため、モジュールの貢献度が高く、しかも設問が投票全体に占める貢献度が高いため、報酬が多くなる。バーストが認知された後は、同じモジュールを設置する人が多くなるため、設問が投票全体に占める貢献度が高くても、報酬は少なくなる。
【００９０】
個々の者が目指す役割は次のようになる。
・システム運営者１２→全体の売り上げを伸ばす。
・設問製作者１３→面白い設問を考える。
・投票モジュール設置者１４→バーストしそうな設問を選ぶ。
・投票者１５→多くの設問に投票する。
【００９１】
<総括>
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００９２】
【図１】本発明の一実施形態にかかる投票連動広告システムの構成例を示す図である。
【図２】各データベースに含まれるフィールドの例を示す図である。
【図３】データベースの各テーブル間のリンク構造の例を示す図である。
【図４】実施形態の処理の概要を示す図である。
【図５】ログインの処理例を示すシーケンス図である。
【図６】設問作成の処理例を示すシーケンス図である。
【図７】投票モジュール設置の処理例を示すシーケンス図である。
【図８】投票モジュール表示の処理例を示すシーケンス図である。
【図９】投票モジュールの表示例を示す図である。
【図１０】投票の処理例を示すシーケンス図（その１）である。
【図１１】投票モジュールの表示例を示す図である。
【図１２】投票の処理例を示すシーケンス図（その２）である。
【図１３】マッチングによる広告提供の処理例を示すシーケンス図（その１）である。
【図１４】ネガポジパラメータの例を示す図である。
【図１５】マッチングによる広告提供の処理例を示すシーケンス図（その２）である。
【図１６】ネガポジパラメータの例を示す図である。
【図１７】マッチングによる広告提供の処理例を示すシーケンス図（その３）である。
【図１８】投票者、モジュール設置者および設問者のプロファイルの共通点による広告提供の概念図である。
【図１９】広告クリックカウントの処理例を示すシーケンス図である。
【図２０】レベニューシェアの手法例を示す図である。
【図２１】レベニューシェアの計算例を示す図である。
【符号の説明】
【００９３】
１１          広告主
１２          システム運営者
１３          設問製作者
１４          投票モジュール設置者
１５          投票者
２１          広告データベース
２２          アカウントデータベース
２３          投票データベース
２４          投票モジュール設置データベース
３１          広告入稿サーバ
３２          広告管理サーバ
３３          ログインＷｅｂサーバ
３４          投票登録Ｗｅｂサーバ
３５          投票モジュール発行Ｗｅｂサーバ
３６          投票モジュール配信Ｗｅｂサーバ
３７          一般Ｗｅｂサーバ
４１〜４３    Ｗｅｂブラウザ端末
【図１】
2008123225.tif 000003
【図２】
2008123225.tif 000004
【図３】
2008123225.tif 000005
【図４】
2008123225.tif 000006
【図５】
2008123225.tif 000007
【図６】
2008123225.tif 000008
【図７】
2008123225.tif 000009
【図８】
2008123225.tif 000010
【図９】
2008123225.tif 000011
【図１０】
2008123225.tif 000012
【図１１】
2008123225.tif 000013
【図１２】
2008123225.tif 000014
【図１３】
2008123225.tif 000015
【図１４】
2008123225.tif 000016
【図１５】
2008123225.tif 000017
【図１６】
2008123225.tif 000018
【図１７】
2008123225.tif 000019
【図１８】
2008123225.tif 000020
【図１９】
2008123225.tif 000021
【図２０】
2008123225.tif 000022
【図２１】
2008123225.tif 000023